(57)【要約】【課題】シールリングに付着した水を外部に排出することができるコネクタを提供する。【解決手段】本明細書によって開示されるコネクタ１０は、後方が開口する開口部２４を有するハウジング１２と、開口部２４内に挿通され、開口部２４の内周面２９に弾性的に接触することで、開口部２４側からハウジング１２内への水の浸入を阻止するシールリング２８と、シールリング２８に後方から当接する当接部８６を有し、当接部８６がシールリング２８に当接することでシールリング２８をハウジング１２に保持するリテーナ１６と、を備えるコネクタ１０であって、リテーナ１６は、ハウジング１２の開口部２４を覆うようにハウジング１２に装着され、リテーナ１６の内壁には、リテーナ１６内に浸入しシールリング２８に付着した水を外部に排出する第１の排水口８０が開口して設けられている。【選択図】図６
2019200906.tif 000002
【特許請求の範囲】
【請求項１】
後方が開口する開口部を有するハウジングと、
前記開口部内に挿通され、前記開口部の内周面に弾性的に接触することで、前記開口部側から前記ハウジング内への水の浸入を阻止するシールリングと、
前記シールリングに後方から当接する当接部を有し、前記当接部が前記シールリングに当接することで前記シールリングを前記ハウジングに保持するリテーナと、を備えるコネクタであって、
前記リテーナは、前記ハウジングの前記開口部を覆うように前記ハウジングに装着され、
前記リテーナの内壁には、前記リテーナ内に浸入し前記シールリングに付着した水を外部に排出する第１の排水口が開口して設けられているコネクタ。
【請求項２】
前記第１の排水口は、前記当接部の鉛直方向下方に位置している請求項１に記載のコネクタ。
【請求項３】
前記リテーナの内壁のうち、前記第１の排水口が設けられている内壁と対向する内壁には、前記第１の排水口と対向する位置に第２の排水口が開口して設けられている請求項１又は請求項２に記載のコネクタ。
【発明の詳細な説明】
【技術分野】
【０００１】
本明細書によって開示される技術は、コネクタに関する。
【背景技術】
【０００２】
従来のコネクタとして、例えば、特表２０１２−５１１８０４号公報に記載のコネクタ組立体が知られている。このコネクタ組立体は、前後方向に延伸する外部部分組立体と、外部部分組立体内に配置され、端子が収容される内部部分組立体と、端子に接続され、後方に延びるケーブルと、前記外部部分組立体の後方の開口部を覆うように取付けられるケーブルシールと、外部部分組立体に後方から取付けられるリテーナと、を備えている。
【先行技術文献】
【特許文献】
【０００３】
【特許文献１】特表２０１２−５１１８０４号公報
【発明の概要】
【発明が解決しようとする課題】
【０００４】
しかしながら、コネクタの後方からコネクタ内に水が浸入すると、コネクタ内のケーブルシールの前方側の空間には水が浸入することは抑制されるものの、ケーブルシールの後方側の空間には水が付着し、その水が排出されず滞留する恐れがある。これにより、例えば、ケーブルシールに付着した水が凍って膨張し、ケーブルシールのリップを押し上げることで、ケーブルシールのシール性が低下するという問題がある。
【課題を解決するための手段】
【０００５】
本明細書で開示されるコネクタは、後方が開口する開口部を有するハウジングと、前記開口部内に挿通され、前記開口部の内周面に弾性的に接触することで、前記開口部側から前記ハウジング内への水の浸入を阻止するシールリングと、前記シールリングに後方から当接する当接部を有し、前記当接部が前記シールリングに当接することで前記シールリングを前記ハウジングに保持するリテーナと、を備えるコネクタであって、前記リテーナは、前記ハウジングの前記開口部を覆うように前記ハウジングに装着され、前記リテーナの内壁には、前記リテーナ内に浸入し前記シールリングに付着した水を外部に排出する第１の排水口が開口して設けられている。
【０００６】
リテーナ内に浸入し、シールリングに付着した水は、第１の排水口から外部に外出されるため、シールリングに付着した水が排出されずに滞留することを抑制できる。これにより、例えば、シールリングに付着した水が凍って膨張することで、シールリングとハウジングの開口部の内周面との間の隙間を押し上げ、シールリングのシール性が低下することを抑制することができる。
【０００７】
また、前記第１の排水口は、前記当接部の鉛直方向下方に位置している構成としても良い。
【０００８】
第１の排水口はシールリングと当接する当接部の鉛直方向下方に位置しているので、シールリングに付着し、当接部を伝って下方に流れた水を、速やかに第１の排水口から排出することができる。
【０００９】
また、前記リテーナの内壁のうち、前記第１の排水口が設けられている内壁と対向する内壁には、前記第１の排水口と対向する位置に第２の排水口が開口して設けられている構成としても良い。
【００１０】
コネクタを上下逆に取り付けた際に、第２の排水口が当接部の鉛直方向下方に位置することとなるため、リテーナ内に浸入した水を第２の排水口から排出することができる。
【発明の効果】
【００１１】
本明細書に開示されるコネクタによれば、シールリングに付着した水を外部に排出することができるコネクタを提供することができる。
【図面の簡単な説明】
【００１２】
【図１】本実施形態におけるコネクタの前方斜視図
【図２】リテーナ装着前のコネクタの後方斜視図
【図３】リテーナ装着前のコネクタの前方斜視図
【図４】コネクタの平面図
【図５】コネクタの背面図
【図６】図５におけるＡ−Ａ断面図
【図７】図６におけるリテーナの装着前の断面図
【図８】リテーナの背面図
【図９】リテーナの正面図
【図１０】リテーナの前方斜視図
【発明を実施するための形態】
【００１３】
＜実施形態＞
図１から図１０を参照して本実施形態を説明する。以降の説明では、図１から図１０におけるＸ方向を前方、Ｙ方向を右方、Ｚ方向を上方とする。
【００１４】
本実施形態のコネクタ１０は、図１に示すように、相手側コネクタ（図示せず）と嵌合されるハウジング１２と、ハウジング１２に後方から装着されるリテーナ１６と、を備えている。
【００１５】
ハウジング１２は、図１に示すように、前後方向に長い筒状をなす端子収容部１８と、端子収容部１８の前方部の外周に設けられ、前方に開口するハウジング側フード部２０と、から構成されている。端子収容部１８内には、角筒状をなす左右一対のキャビティ２２が設けられており、左右一対のキャビティ２２内には、それぞれ端子が収容されている。
【００１６】
端子収容部１８には、図２に示すように、後方に開口する開口部２４が設けられており、開口部２４には、２本の被覆電線２６を束ねて外被覆で覆った多芯のケーブル１４が挿通されている。ケーブル１４の２本の被覆電線２６の芯線は、一対のキャビティ２２内の端子にそれぞれ電気的に接続されている。
【００１７】
ケーブル１４には、図６に示すように、円環状のシールリング２８が挿通されており、シールリング２８は開口部２４内に収容されている。シールリング２８の外周面は、端子収容部１８の開口部２４内の内周面２９に弾性的に接触しており、また、シールリング２８の内周面は、ケーブル１４の外周面３０に弾性的に接触している。これにより、端子収容部１８の開口部２４から端子収容部１８内に水が浸入することを抑制している。端子収容部１８内には、シールリング２８の前面と当接する前方当接壁３２が設けられており、これによりシールリング２８は、端子収容部１８内で前方に変位することが阻止されている。
【００１８】
端子収容部１８の両側面には、図２、図３に示すように、後述するリテーナ１６を後方へ抜け止めする一対のハウジング側ロック部３４がそれぞれ外方に突出して設けられている。また、端子収容部１８には、開口部２４の上端開口縁及び下端開口縁から後方にそれぞれ突出する上下一対の押さえ部３６が設けられている。
【００１９】
上下一対の押さえ部３６のうち、上側の押さえ部３６は、図２に示すように、開口部２４の上端開口縁から後方に片持ち状に突出する左右一対の個別押さえ部３８から構成されており、左右一対の個別押さえ部３８は、左右方向に所定の間隔を空けて配されている。下側の押さえ部３６は、上側の押さえ部３６と同様に、開口部２４の下端開口縁から後方に片持ち状に突出する左右一対の個別押さえ部３８から構成されている。
【００２０】
リテーナ１６は、ケーブル１４、及び、シールリング２８をハウジング１２に保持するためのリテーナであって、図１０に示すように、左右方向に長い長円形の板状をなす基端壁４０と、基端壁４０の外周縁から前方にフード状に開口するリテーナ側フード部４２と、枠状をなし、基端壁４０の後面から後方に突出する枠部４６と、基端壁４０の後面から後方に突出する上下一対のランス部４４と、を備えている。リテーナ１６は、図１に示すように、リテーナ側フード部４２が端子収容部１８の開口部２４を覆うように、ハウジング１２に装着されている。基端壁４０には、図９に示すように、中央にケーブル１４が挿通される第１挿通孔４８、並びに、上側の左右一対の個別押さえ部３８及び下側の左右一対の個別押さえ部３８がそれぞれ挿通される４つの第２挿通孔５０が開口して設けられている。
【００２１】
リテーナ側フード部４２の両側面には、図３に示すように、前後方向に切欠いた形状をなす第１スリット５２が、上下方向に所定の間隔を空けて２つずつ設けられており、これにより、左右方向に弾性変位可能な左右一対のロックアーム５４が形成されている。一対のロックアーム５４は、上下方向の中央が前後方向に長く開口しており、その開口縁の前端部が、リテーナ側ロック部５８とされる。
【００２２】
リテーナ１６がハウジング１２に装着されると、図１に示すように、リテーナ側ロック部５８は、ハウジング側ロック部３４に前方から当接可能な状態となり、リテーナ１６は、ハウジング１２から後方に外れることが阻止される。
【００２３】
上下一対のランス部４４は、図１０に示すように、基端壁４０の第１挿通孔４８の開口縁から、後方（ケーブル１４の延出方向）に片持ち状にそれぞれ突出して設けられている。
【００２４】
上下一対のランス部４４のうち、先ず、上側のランス部４４について説明する。上側のランス部４４は、図９、図１０に示すように、湾曲部６０と、左右一対の被水抑制壁６２と、左右一対の凸部６４と、を備えている。
【００２５】
湾曲部６０は、図１０に示すように、第１挿通孔４８の開口縁から後方（ケーブル１４の延出方向）に延びて設けられており、図２に示すように、ケーブル１４の外周面３０に合わせて湾曲した形状をなしている。左右一対の凸部６４は、図７、図９に示すように、被水抑制壁６２の前方に位置しており、湾曲部６０の左右方向（湾曲方向）の両端部側から、上方にそれぞれ突出して設けられている。一対の凸部６４の上端部には、図７に示すように、前方に、湾曲部６０の上面に向けて傾斜するテーパー面６６が設けられている。また、湾曲部６０の下面は、断面鋸歯状をなす鋸歯状部６８とされており、図６に示すように、ケーブル１４をハウジング１２に保持する際に、鋸歯状部６８がケーブル１４を噛み込むため、ケーブル１４の保持力が向上する。また、湾曲部６０は、ケーブル１４の延出方向に延びているため、鋸歯状部６８とケーブル１４との接触面積が大きくなり、ケーブル１４の保持力が向上する。
【００２６】
被水抑制壁６２は、図１０に示すように、湾曲部６０の後端部から上方にそれぞれ突出して設けられている。被水抑制壁６２の左右方向の幅は、図８、図９に示すように、第２挿通孔５０の左右方向の開口幅と同じ幅となっており、被水抑制壁６２は、正面視上、被水抑制壁６２の左右両端と、第２挿通孔５０の左右両側の開口縁との間に、隙間が生じない位置に設けられている。
【００２７】
被水抑制壁６２の上端部は、図８に示すように、第２挿通孔５０の上端開口縁よりも下方に位置しており、図５に示すように、背面視上、被水抑制壁６２の上端部と第２挿通孔５０の上端開口縁との間から、個別押さえ部３８の後端部が視認可能となっている。これにより、押さえ部３６の後端部の前後方向の位置から、リテーナ１６が正規にハウジング１２に取付けられているか否かを確認することができるようになっている。
【００２８】
凸部６４は、図９に示すように、第２挿通孔５０の開口内に収まっているため、仮に被水抑制壁６２が設けられていない場合、凸部６４と第２挿通孔５０の開口縁との間の隙間から開口部２４内に水が浸入し、シールリング２８が直接被水する虞がある。しかしながら、被水抑制壁６２及び個別押さえ部３８によって、背面視上、第２挿通孔５０が覆われているため、第２挿通孔５０から浸入した水がシールリング２８に直接被水することを抑制している。
【００２９】
図８、図１０に示すように、湾曲部６０の左右一対の被水抑制壁６２（及び、左右一対の凸部６４）の間の中央には、前後方向（ケーブル１４の延出方向）に切欠いた形状をなす第２スリット７０が設けられており、これにより、湾曲部６０は左右に分断されている。
【００３０】
上下一対のランス部４４のうち、下側のランス部４４は、図８に示すように、上側のランス部４４と上下対称の形状をなしており、その他は、上側のランス部４４と同じ構成となっている。
【００３１】
枠部４６は、図１０に示すように、基端壁４０の上端部及び下端部からそれぞれ後方に突出する上下一対の変位阻止部７２と、上下一対の変位阻止部７２の左右両端部をそれぞれ連結する左右一対の連結部７４とから構成されている。左右一対の連結部７４には、互いに対向する面から枠部４６の左右方向の内方に向けて突出する左右一対の突出部７６が設けられている。左右一対の突出部７６は、図５に示すように、ケーブル１４に左右方向からそれぞれ接触しており、これにより、ケーブル１４の左右方向への変位を規制している。
【００３２】
リテーナ１６がハウジング１２に装着されると、図６に示すように、リテーナ１６の上下一対の変位阻止部７２と上下一対のランス部４４の凸部６４との間に、ハウジング１２の上下一対の押さえ部３６が挿通される。押さえ部３６の左右一対の個別押さえ部３８は、左右一対の凸部６４をそれぞれ個別に、ランス部４４のケーブル１４に向かう方向から押さえている。これにより、ランス部４４はケーブル１４に向けて弾性変位し、ランス部４４の湾曲部６０の鋸歯状部６８は、ケーブル１４に弾性接触する。また、ランス部４４がケーブル１４に弾性接触することにより生じるケーブル１４の反力により、ランス部４４はケーブル１４に向かう方向と逆方向に弾性変位する。これにより、左右一対の個別押さえ部３８は、ケーブル１４に向かう方向と逆方向に弾性変位し、図５に示すように、変位阻止部７２に、ケーブル１４に向かう方向と逆方向から弾性的に接触している。
【００３３】
上下一対の変位阻止部７２のうち、下側の変位阻止部７２の下面には、図５に示すように、上方に凹む第１凹部７８が設けられており、第１凹部７８の底には、図６、図７に示すように、第１の排水口８０が開口して設けられている。また、上下一対の変位阻止部７２のうち、上側の変位阻止部７２の上面には、図５に示すように、下方に凹む第２凹部８２が設けられており、第２凹部８２の底の一部には、図２、図４、図６、図７に示すように、第２の排水口８４が開口して設けられている。
【００３４】
リテーナ１６がハウジング１２に装着されると、図６に示すように、基端壁４０の第１挿通孔４８の開口縁は、シールリング２８に後方から当接し、シールリング２８が後方に抜けることを阻止しており、シールリング２８に後方から当接する第１挿通孔４８の開口縁の部分は、当接部８６とされる。第１の排水口８０は、当接部８６の鉛直方向下方に位置している。
【００３５】
図６に示すように、基端壁４０の前面が、端子収容部１８の開口部２４の開口縁に後方から当接することで、リテーナ１６は、前方に変位することが阻止されている。また、リテーナ１６のロックアーム５４のアーム長は、ハウジング側ロック部３４に嵌合するのに必要な長さよりも若干長めにとってあり、リテーナ１６はハウジング１２に対して若干前後方向にガタつくようになっている。これにより、基端壁４０の前面と、端子収容部１８の開口部２４の開口縁との間は、図示しないものの、僅かに隙間が生じている。
【００３６】
リテーナ１６内に水が浸入し、シールリング２８に水が付着すると、水は、基端壁４０の前面を伝って鉛直方向下方に流れる。さらに、下方に流れた水は、基端壁４０の前面と端子収容部１８の開口部２４の開口縁との間の図示しない隙間に流れ、第２の排水口８４から外部に排出されることで、シールリング２８付近に水が滞留することが抑制される。これにより、例えば、シールリング２８に付着した水が凍って膨張することで、シールリング２８と開口部２４の内周面との間の隙間を押し上げ、シールリング２８のシール性が低下することを抑制することができる。また、例えば、塩水がリテーナ１６内に浸入し、シールリング２８付近に付着した際に、塩水が乾いて、塩がシールリング２８と開口部２４の内周面との間の隙間を押し上げ、シールリング２８のシール性が低下することを抑制することができる。なお、コネクタ１０を上下逆方向に接続した場合は、第１の排水口８０から同様にリテーナ１６内に浸入した水が排出される。
【００３７】
次に、本実施形態の作用について説明する。
リテーナ１６をハウジング１２に装着するため、図７に示すように、リテーナ１６の第１挿通孔４８にケーブル１４を挿通すると、ランス部４４の湾曲部６０の下面の鋸歯状部６８がケーブル１４の外周面３０と摺動する。このとき、ランス部４４の湾曲部６０に第２スリット７０が設けられているため、湾曲部６０が外方に撓み易くなっており、ケーブル１４の挿通作業が行い易くなっている。
【００３８】
次に、リテーナ１６を前方に変位させ、リテーナ１６の凸部６４と変位阻止部７２との間に、ハウジング１２の上下一対の押さえ部３６をそれぞれ挿通する。ここでは、先ず、上側のランス部４４、変位阻止部７２、及び押さえ部３６の作用について説明する。
リテーナ１６を前方に変位させると、左右一対の凸部６４のテーパー面６６が、ハウジング１２の左右一対の個別押さえ部３８の後端部に当たる。さらに、リテーナ１６を前方に変位させると、左右一対の凸部６４のテーパー面６６と左右一対の個別押さえ部３８の後端部とが摺動しながら、左右一対の凸部６４は、左右一対の個別押さえ部３８に上方から押さえられ、ケーブル１４に向けて弾性変位する。これにより、図６に示すように、リテーナ１６のハウジング１２への装着が完了する。このように、凸部６４にテーパー面６６を設けることで、押さえ部３６の挿入力が低減され、リテーナ１６のハウジング１２への取付け作業性が向上する。
【００３９】
図６に示すように、左右一対の押さえ部３６が左右一対の凸部６４を上方から押さえることで、ランス部４４は、下方に弾性変位し、湾曲部６０の鋸歯状部６８がケーブル１４の外周面３０に弾性的に接触することで、ケーブル１４はハウジング１２に保持される。このとき、左右一対の凸部６４は、図９に示すように、湾曲部６０の左右両端側に位置していることから、上側の湾曲部６０が下方に弾性変位する変位量は、第２スリット７０側の弾性変位量よりも、左右両端側の弾性変位量の方が大きくなる。従って、湾曲部６０は、ケーブル１４の径方向内側に向けて弾性変位することとなる。このように、湾曲部６０に第２スリット７０を設け、さらに、左右一対の凸部６４を湾曲部６０の両端側に設けることで、湾曲部６０がケーブル１４の径方向内側に弾性変位し、ケーブル１４の外周面３０に全面で弾性接触することとなるため、ケーブル１４の保持力を向上させることができる。
【００４０】
湾曲部６０の鋸歯状部６８がケーブル１４に弾性的に接触することによりケーブル１４に反力が生じることとなる。このケーブル１４の反力によって、湾曲部６０及び左右一対の個別押さえ部３８は上方に変位しようとする。しかしながら、左右一対の個別押さえ部３８が上方に変位すると、図５に示すように、左右一対の個別押さえ部３８は変位阻止部７２に下方から当接することとなるため、左右一対の個別押さえ部３８の上方への変位が阻止される。これにより、左右一対の個別押さえ部３８が上方に変位することでケーブル１４の保持力が低下することを抑制している。また、上下一対の変位阻止部７２の両端部は、左右一対の連結部７４によってそれぞれ連結されているため、上下一対の変位阻止部７２は上下方向に撓みにくくなっている。これにより、ケーブル１４の反力により変位阻止部７２が撓み、ケーブル１４の保持力が低下することが抑制されている。
【００４１】
下側のランス部４４、変位阻止部７２、及び押さえ部３６についても、上側のランス部４４、変位阻止部７２、及び押さえ部３６と同様の作用を奏する。また、上下のランス部４４により上下方向からケーブル１４は保持されるため、上下のいずれか一方にのみランス部４４を設ける構成と比較して、ケーブル１４の保持力が向上する。
【００４２】
次に、リテーナ１６の後方からリテーナ１６に水滴がかかったことを想定する。このとき、第２挿通孔５０に向けて飛んだ水滴は、第２挿通孔５０の前方に設けられている被水抑制壁６２に当たり、第２挿通孔５０から開口部２４内に水滴が浸入することが抑制される。また、被水抑制壁６２を超えて第２挿通孔５０に水滴が到達しても、一対の押さえ部３６の後端部に当たるため、第２挿通孔５０から開口部２４内に水滴が浸入することが抑制される。このように、第２挿通孔５０は、図５に示すように、背面視上、一対の押さえ部３６の後端部及び被水抑制壁６２により覆われているため、第２挿通孔５０から水が浸入することが抑制される。
【００４３】
第１挿通孔４８及び第２挿通孔５０の内周面にはシール処理が施されていないことから、水滴が開口部２４内に浸入し、シールリング２８に付着する場合も有り得る。また、第２の排水口８４から水滴が浸入し、シールリング２８に付着する場合も有り得る。このようにしてシールリング２８に付着した水滴は、基端壁４０の前面を伝って鉛直方向下方に流れ、第２の排水口８４から外部に速やかに排出されるため、シールリング２８付近に水が滞留することが抑制される。
【００４４】
以上のように本実施形態によれば、リテーナ１６内に浸入し、シールリング２８に付着した水は、第１の排水口８０から外部に外出されるため、シールリング２８に付着した水が排出されずに滞留することを抑制できる。これにより、例えば、シールリング２８に付着した水が凍って膨張することで、シールリング２８とハウジング１２の開口部２４の内周面との間の隙間を押し上げ、シールリング２８のシール性が低下することを抑制することができる。
【００４５】
また、第１の排水口８０はシールリング２８と当接する当接部８６の鉛直方向下方に位置しているので、シールリング２８に付着し、当接部８６を伝って下方に流れた水を、速やかに第１の排水口８０から排出することができる。
また、コネクタ１０を上下逆に取り付けた際に、第２の排水口８４が当接部８６の鉛直方向下方に位置することとなるため、リテーナ１６内に浸入した水を第２の排水口８４から排出することができる。
【００４６】
＜他の実施形態＞
本明細書によって開示される技術は上記記述及び図面によって説明した実施形態に限定されるものではなく、例えば次のような種々の態様も含まれる。
（１）上記実施形態では、リテーナ１６の上下一対のランス部４４が上下方向からケーブル１４にそれぞれ弾性接触することで、ケーブル１４をハウジング１２に保持する構成としたが、ランス部は、左右一対設けられる構成とし、左右方向からケーブルに弾性接触する構成としても良い。また、ランス部は１つの構成とし、一方向からケーブルに弾性的に接触し、ケーブルを保持する構成としても良い。
（２）上記実施形態では、ハウジング１２の押さえ部３６は、左右一対の個別押さえ部３８から構成され、左右一対の個別押さえ部３８がリテーナ１６の左右一対の凸部６４をそれぞれ押さえる構成としたが、１つの押さえ部が左右一対の凸部６４を同時に押さえる構成としても良い。
（３）上記実施形態では、被水抑制壁６２の左右方向の幅は、第２挿通孔５０の左右方向の開口幅と同じ幅としたが、第２挿通孔５０の左右方向の開口幅よりも大きくしても良い。
（４）上記実施形態では、ランス部４４に凸部６４を設け、ハウジング１２の押さえ部３６が凸部６４を押さえる構成としたが、ランス部に凸部を設けず、押さえ部側に凸部を設け、押さえ部の凸部がランス部の湾曲部を押さえる構成としても良い。
（５）上記実施形態では、上下一対の変位阻止部７２の両端同士を、左右一対の連結部７４がそれぞれ連結することで、変位阻止部７２を撓みにくくする構成としていたが、例えば、左右一対の連結部７４を設けずに、変位阻止部の肉厚を厚くして、変位阻止部を撓みにくくする構成としても良い。
【符号の説明】
【００４７】
１０：コネクタ
１２：ハウジング
１６：リテーナ
２４：開口部
２８：シールリング
２９：内周面
８０：第１の排水口
８４：第２の排水口
８６：当接部
【図１】
2019200906.tif 000003
【図２】
2019200906.tif 000004
【図３】
2019200906.tif 000005
【図４】
2019200906.tif 000006
【図５】
2019200906.tif 000007
【図６】
2019200906.tif 000008
【図７】
2019200906.tif 000009
【図８】
2019200906.tif 000010
【図９】
2019200906.tif 000011
【図１０】
2019200906.tif 000012